(57)【要約】【課題】簡便にカードをコネクタに再接続できる携帯電子機器を提供する。【解決手段】携帯電話機１は、開口部１３から露出されると共に、開口部１３を介して送話筐体３内に押し込まれたカード１０１を保持し、かつ、保持されたカード１０１がさらに送話筐体３内に押し込まれるとカード１０１を排出するコネクタ１５と、開口部１３を閉塞する閉塞状態と開口部１３の少なくとも一部を露出させる露出状態との間を移動可能に構成されるキャップ部品１７とを有する。キャップ部品１７は、閉塞状態において、コネクタ１５のカード１０１を排出する力に抗して送話筐体３に係合可能な被係合部１９ｃと、閉塞状態において、送話筐体３外部からの押圧に伴って弾性変形して、開口部１３に挿入されているカード１０１のキャップ部品１７による送話筐体３内への押し込みを可能とする弾性変形部１９ａとを有する。【選択図】図３
2010055339.tif 000002
【特許請求の範囲】
【請求項１】
開口部が形成された筐体と、
前記開口部から露出されると共に、前記開口部を介して前記筐体内に押し込まれたカードを保持し、かつ、前記保持されたカードがさらに前記筐体内に押し込まれると前記カードを排出するコネクタと、
前記開口部を閉塞する閉塞状態と前記開口部の少なくとも一部を露出させる露出状態との間を移動可能に構成されるキャップと、
を有し、
前記キャップは、
前記閉塞状態において、前記コネクタの前記カードを排出する力に抗して前記筐体に係合可能な被係合部と、
前記閉塞状態において、筐体外部からの押圧に伴って弾性変形して、前記開口部に挿入されている前記カードの当該キャップによる前記筐体内への押し込みを可能とする弾性変形部と、
を有する携帯電子機器。
【請求項２】
前記弾性変形部は、前記キャップにおける前記コネクタに対向する領域に形成される
請求項１に記載の携帯電子機器。
【請求項３】
前記弾性変形部は、前記キャップにおける前記弾性変形部の周囲に形成される部位よりも曲げ剛性が低く形成される
請求項１又は２に記載の携帯電子機器。
【請求項４】
前記弾性変形部は、前記キャップにおける前記弾性変形部の周囲に形成される部位よりも肉薄に形成される
請求項１乃至３のいずれか１項に記載の携帯電子機器。
【請求項５】
前記弾性変形部は、前記キャップにおける前記弾性変形部の周囲に形成される部位よりも弾性係数が低い材料により形成される
請求項１乃至４のいずれか１項に記載の携帯電子機器。
【請求項６】
報知部と、
前記コネクタにより前記カードが保持されている保持状態を検出する第１の検出部と、
前記キャップの前記閉塞状態を検出する第２の検出部と、
前記第１の検出部により前記保持状態が検出されると共に、前記第２の検出部により前記閉塞状態が検出された状態から、前記第１の検出部により前記保持状態が検出されなくなると共に、前記第２の検出部により前記閉塞状態が検出された状態に移行されると、前記報知部により所定の報知を行う制御部と、
を有する請求項１乃至５のいずれか１項に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
メモリカード等のカードを装着可能な携帯電子機器が知られている。例えば、特許文献１では、開口部が形成された筐体と、開口部に挿入されるメモリカードと、開口部を塞ぐキャップとを有する携帯情報端末が開示されている。
【特許文献１】特開平１０−８３４３５号公報
【発明の開示】
【発明が解決しようとする課題】
【０００３】
キャップにより開口部が閉塞状態となっているにも関わらず、カードの端子がコネクタの端子からずれてしまい、電気的接続が不完全になってしまうことがある。この場合、カードをコネクタに再接続するためには、一度キャップを取り外して開口部を露出状態とし、カードをコネクタに押し込み、再度キャップを取り付けて閉塞状態としなければならない。従って、再接続の操作は、ユーザにとって煩わしいものとなっていた。
【０００４】
本発明の目的は、簡便にカードをコネクタに再接続できる携帯電子機器を提供することにある。
【課題を解決するための手段】
【０００５】
本発明の携帯電子機器は、開口部が形成された筐体と、前記開口部から露出されると共に、前記開口部を介して前記筐体内に押し込まれたカードを保持し、かつ、前記保持されたカードがさらに前記筐体内に押し込まれると前記カードを排出するコネクタと、前記開口部を閉塞する閉塞状態と前記開口部の少なくとも一部を露出させる露出状態との間を移動可能に構成されるキャップと、を有し、前記キャップは、前記閉塞状態において、前記コネクタの前記カードを排出する力に抗して前記筐体に係合可能な被係合部と、前記閉塞状態において、筐体外部からの押圧に伴って弾性変形して、前記開口部に挿入されている前記カードの当該キャップによる前記筐体内への押し込みを可能とする弾性変形部と、を有する。
【０００６】
好適には、前記弾性変形部は、前記キャップにおける前記コネクタに対向する領域に形成される。
【０００７】
好適には、前記弾性変形部は、前記キャップにおける前記弾性変形部の周囲に形成される部位よりも曲げ剛性が低く形成される。
【０００８】
好適には、前記弾性変形部は、前記キャップにおける前記弾性変形部の周囲に形成される部位よりも肉薄に形成される。
【０００９】
好適には、前記弾性変形部は、前記キャップにおける前記弾性変形部の周囲に形成される部位よりも弾性係数が低い材料により形成される。
【００１０】
好適には、報知部と、前記コネクタにより前記カードが保持されている保持状態を検出する第１の検出部と、前記キャップの前記閉塞状態を検出する第２の検出部と、前記第１の検出部により前記保持状態が検出されると共に、前記第２の検出部により前記閉塞状態が検出された状態から、前記第１の検出部により前記保持状態が検出されなくなると共に、前記第２の検出部により前記閉塞状態が検出された状態に移行されると、前記報知部により所定の報知を行う制御部と、を有する。
【発明の効果】
【００１１】
本発明によれば、簡便にカードをコネクタに再接続できる。
【発明を実施するための最良の形態】
【００１２】
図１は、本発明の実施形態に係る携帯電話機１の外観を開状態で示す斜視図である。
【００１３】
携帯電話機１は、いわゆる折り畳み式の携帯電話機として構成されており、開閉可能に互いに連結された送話筐体３及び受話筐体５を有している。送話筐体３には、例えば、通話用のマイクロフォン８７（図６参照）、通信のための内蔵アンテナ８１（図６参照）、ユーザの操作を受け付ける操作部７が設けられている。受話筐体５には、例えば、通話用のスピーカ８３（図６参照）、報知用のスピーカ８５（図６参照）、画像や文字を表示する表示部９が設けられている。
【００１４】
送話筐体３は、例えば、概ね薄型直方体状に形成されている。送話筐体３の側面には、メモリカード１０１を着脱可能なカード装着部１１が設けられている。メモリカード１０１は、例えば、概ね矩形状の板状に形成されており、一端部に携帯電話機１と電気的に接続するための複数の端子１０３（図５参照）が設けられている。
【００１５】
図２は、カード装着部１１を拡大して示す斜視図である。
【００１６】
カード装着部１１は、開口部１３が形成された送話筐体３の側面部分と、開口部１３から送話筐体３内部に挿入されたカード１０１を保持するコネクタ１５（図５）と、開口部１３を開閉するキャップ部品１７とを有している。
【００１７】
開口部１３は、例えばスリット状に形成されている。コネクタ１５は、開口部１３から露出する。ただし、コネクタ１５は、カード１０１が開口部１３に挿入されることにより、カード１０１に隠れ、開口部１３からは全く若しくは殆ど露出しなくなることから、図２では不図示となっている。キャップ部品１７は、開口部１３を閉塞する閉塞状態と開口部１３の少なくとも一部を露出させる露出状態との間を移動可能に構成される。
【００１８】
キャップ部品１７は、送話筐体３に対して着脱されることにより、開口部１３を開閉するキャップ部１９と、キャップ部１９の送話筐体３からの離脱を阻止する挿入部２１とを有している。
【００１９】
キャップ部１９及び挿入部２１は、樹脂等の同一材料により一体的に形成されてもよいし、いずれか一方をゴムにより、他方を樹脂により形成するなど、２以上の材料により形成されてもよい。
【００２０】
キャップ部１９は、例えば、開口部１３に対向する方向に見て、開口部１３よりも広い面積を有し、概ね矩形状に形成されている。また、キャップ部１９は、開口部１３に対向する弾性変形部１９ａと、弾性変形部１９ａの周囲の外周部１９ｂと、外周部１９ｂから突出する被係合部１９ｃとを有している。なお、図２において、弾性変形部１９ａと、外周部１９ｂとの境界は、点線Ｌ１により示されている。
【００２１】
図３は、図１の平面ＩＩＩにおける断面図である。また、図４は、送話筐体３の一部を切り欠いて送話筐体３を操作部７側から見た図である。
【００２２】
弾性変形部１９ａは、外周部１９ｂよりも薄く形成されている。従って、弾性変形部１９ａは、外周部１９ｂに比較して、同一の断面積で考えた場合に、断面２次モーメント、すなわち、曲げ剛性が小さい。その結果、弾性変形部１９ａは、外周部１９ｂに比較して弾性変形しやすくなっている。
【００２３】
開口部１３は、送話筐体３の側面に形成された凹部２３の底部に形成されている。キャップ部１９は、開口部１３を塞ぐ閉塞状態において、外周部１９ｂが凹部２３に嵌合する。図２に示すように、外周部１９ｂの凹部２３の側面に対向する外周面には、ユーザがキャップ部１９を送話筐体３から取り外すときに指の爪を引っ掛けるために、凹部１９ｄが形成されている。
【００２４】
被係合部１９ｃは、図２及び図３に示すように、外周部１９ｂから、キャップ部１９の開口部１３に対向する面の外方へ突出している。一方、図３に示すように、凹部２３の側面には、閉塞状態において被係合部１９ｃが係合する溝状の係合部２５が形成されている。
【００２５】
図２及び図４に示すように、挿入部２１は、凹部２３内、且つ、開口部１３の長手方向両側に配置された孔部２６から送話筐体３に挿入されている。図４に示すように、孔部２６は、送話筐体３の内部へ直線状に延びており、挿入部２１を案内するガイド部となっている。挿入部２１は、キャップ部１９から、キャップ部１９の開口部１３に対向する面の向く方向へ延びるように形成されており、先端には、係止部２１ａが形成されている。係止部２１ａは、図４（ｂ）に示すように、送話筐体３に対して筐体内部側から係合して、キャップ部品１７の送話筐体３からの離脱を阻止する。
【００２６】
図５は、コネクタ１５の構成を示す、図４と同じ方向から見た断面図である。
【００２７】
コネクタ１５は、いわゆるプッシュプッシュ式のコネクタにより構成されている。すなわち、コネクタ１５は、押し込まれたカード１０１を保持し、かつ、保持されたカード１０１がさらに押し込まれるとカード１０１を排出するコネクタにより構成されている。具体的には、以下のとおりである。
【００２８】
コネクタ１５は、例えば、カード１０１を収容可能な箱体２７と、箱体２７内に設けられた複数の端子２９と、カード１０１を排出するためのイジェクトバー３１と、イジェクトバー３１を付勢するバネ３３とを有している。
【００２９】
箱体２７は、概ね直方体状に形成されるとともに、一の面が解放されて、開口部１３から挿入されたカード１０１を受け入れる挿入口２７ａが形成されている。複数の端子２９は、箱体２７の、挿入口２７ａとは反対側の端部に配列されている。イジェクトバー３１は、箱体２７の、複数の端子２９側に形成された切り欠き部から、箱体２７の内部に挿入されている。イジェクトバー３１は、２点鎖線で示すように、箱体２７に対してカードの挿入及び引抜方向に移動可能である。また、イジェクトバー３１は、箱体２７の側面部２７ｂに形成された不図示のカム溝に案内されるピン３１ａを有している。バネ３３は、イジェクトバー３１を挿入口２７ａの方向へ付勢している。なお、各部の動作については後述する。
【００３０】
図２に示すように、携帯電話機１は、キャップ部１９の着脱を検出するセンサ３５を有している。センサ３５は、例えば、光電センサにより構成されており、受光量に応じた信号を出力する。また、センサ３５は、キャップ部１９が開口部１３を閉塞したときに、キャップ部１９により覆われ、キャップ部１９が開口部１３を露出させたときに、露出する位置に配置されている。従って、センサ３５の検出した受光量に基づいてキャップ部１９の着脱を検出できる。
【００３１】
図６は、携帯電話機１の信号処理系の構成を示すブロック図である。
【００３２】
携帯電話機１は、ＣＰＵ７１、メモリ７３、通信処理部７５、音響処理部７７及び画像処理部７９を備えている。これら各部は例えばＩＣにより構成されている。
【００３３】
ＣＰＵ７１及びメモリ７３は、操作部７等の各種手段からの信号に基づいて所定の演算を行い、画像処理部７９等の各種手段の制御を実行する制御部として機能する。
【００３４】
ＣＰＵ７１は、センサ３５からの信号に基づいて、キャップ部１９の着脱を判断する。具体的には、例えば、センサ３５から出力される信号に基づいて特定される受光量が所定の閾値を超えた場合には、キャップ部１９は送話筐体３から取り外され、開口部１３は露出状態にあると判断し、所定の閾値未満の場合には、キャップ部１９により開口部１３が閉塞されていると判断する。
【００３５】
また、ＣＰＵ７１は、コネクタ１５にカード１０１が保持されているか否か、より厳密には、コネクタ１５とカード１０１との電気的接続がなされているか否かを検出するセンサとしても機能する。具体的には、ＣＰＵ７１は、コネクタ１５に所定の電気信号を出力し、出力した電気信号に応じた信号をコネクタ１５から得られるか否かにより、カード１０１がコネクタ１５に接続されているか否かを検出する。
【００３６】
通信処理部７５は、通話やメール等の電波を利用した遠距離無線通信を行う。具体的には、通信処理部７５は、ＣＰＵ７１からの信号を変調し、その変調した信号をアンテナ８１を介して送信する。また、通信処理部７５は、アンテナ８１を介して受信した信号を復調し、その復調した信号をＣＰＵ７１に出力する。
【００３７】
音響処理部７７は、ＣＰＵ７１からの音響データを音響信号に変換し、その信号を通話用のスピーカ８３、着信等を報知するためのスピーカ８５に出力する。又、音響処理部７７は、マイクロフォン８７からの音響信号を音響データに変換し、そのデータをＣＰＵ７１に出力する。
【００３８】
画像処理部７９は、ＣＰＵ７１からの画像データを画像信号に変換し、その信号を表示部９に出力する。
【００３９】
以上の構成を有する携帯電話機１における、カード着脱時の作用を説明する。
【００４０】
ユーザは、カード１０１を挿入するときには、まず、キャップ部１９の凹部１９ｄに爪を引っ掛けてキャップ部１９を引っ張り、キャップ部１９の被係合部１９ｃと送話筐体３の係合部２５との係合を解除する。そして、図２及び図４（ｂ）に示すように、キャップ部品１７を引き出して、開口部１３を露出状態とし、カード１０１を開口部１３に挿入する。
【００４１】
カード１０１は、ユーザによって挿入口２７ａから挿入されると、バネ３３の付勢力に抗してイジェクトバー３１を押し込む。そして、カード１０１の複数の端子１０３はコネクタ１５の複数の端子２９に当接し、電気的に接続される。このとき、イジェクトバー３１は、ピン３１ａとカム溝との係合により箱体２７に対してロックされる。
【００４２】
そして、ユーザは、図３及び図４（ａ）に示すように、キャップ部１９を送話筐体３の凹部２３に嵌め込み、さらには、キャップ部１９の被係合部１９ｃと送話筐体３の係合部２５とを係合させ、開口部１３を閉塞状態とする。
【００４３】
ユーザが、カード１０１を取り出すときは、まず、カード１０１を挿入するときと同様に、キャップ部１９を取り外して開口部１３を露出状態とする。そして、露出したカード１０１を押し込む。カード１０１は、バネ３３の付勢力に抗してイジェクトバー３１を僅かに押し込む。これにより、ピン３１ａとカム溝との係合（ロック）が解除され、イジェクトバー３１はバネ３３の付勢力によってカード１０１を排出する。
【００４４】
カード１０１がコネクタ１５に保持されており、且つ、キャップ部１９により開口部１３が閉塞されている状態において、携帯電話機１に衝撃が加えられるなど、何らかの原因により、コネクタ１５のロックが解除されてしまうことがある。この場合、図３（ｂ）に示すように、キャップ部１９の被係合部１９ｃが、バネ３３の付勢力に抗して、送話筐体３の係合部２５に対して係合を維持することにより、閉塞状態を維持する。その結果、カード１０１の携帯電話機１からの脱落が防止される。
【００４５】
ここで、従来は、コネクタ１５を再度ロックするためには、キャップ部１９を一度送話筐体３から取り外し、開口部１３を露出状態として、カード１０１を押し混む必要があった。しかし、携帯電話機１では、そのような必要がない。すなわち、ユーザは、図３（ｃ）及び図４（ｃ）に示すように、閉塞状態のまま、送話筐体３外部側から弾性変形部１９ａを押圧すればよい。弾性変形部１９ａは、押圧に伴って弾性変形してカード１０１を押し込む。これにより、コネクタ１５は再度ロックされる。
【００４６】
なお、弾性変形部１９ａは、コネクタ１５のロックが解除されてしまった場合に限られず、コネクタ１５のロックは解除されていないものの、カード１０１とコネクタ１５との電気的接触が不完全な場合においても有効である。すなわち、このような場合、弾性変形部１９ａを介してカード１０１を押し込んで、一度ロックを解除し、再度押し込んでカード１０１をコネクタ１５に再接続できる。
【００４７】
また、上記のように、閉塞状態であるにも関わらず、コネクタ１５のロックが解除されたり、コネクタ１５とカード１０１との電気的接続が切断されたときには、携帯電話機１は、そのことをユーザに報知する。
【００４８】
具体的には、ＣＰＵ７１は、ＣＰＵ７１自身によってコネクタ１５とカード１０１との接続状態が検出されると共に、センサ３５によりキャップ部１９による開口部１３の閉塞状態が検出された状態から、ＣＰＵ７１自身によってコネクタ１５とカード１０１との接続状態が検出されなくなると共に、センサ３５により開口部１３の閉塞状態が検出された状態に移行されると、所定の報知動作を行う。報知動作は、例えば、報知用のスピーカ８５から所定の音響を出力したり、表示部９に所定の画像を表示したりする動作である。
【００４９】
以上の実施形態によれば、携帯電話機１は、開口部１３が形成された送話筐体３と、開口部１３から挿入されたカード１０１を保持するコネクタ１５と、開口部１３を閉塞する閉塞状態と開口部１３の少なくとも一部を露出させる露出状態との間を移動可能に構成されるキャップ部１９とを有する。キャップ部１９は、閉塞状態において、筐体外部からの押圧に伴って弾性変形して、被係合部１９ｃを送話筐体３に係合させたまま、開口部１３に挿入されているカード１０１のキャップ部１９による筐体内への押し込みを可能とする弾性変形部１９ａを有する。従って、上述のように、キャップ部１９を取り外さずに、カード１０１をコネクタ１５に保持させ直すことが可能である。
【００５０】
コネクタ１５は、開口部１３から露出されると共に、開口部１３を介して送話筐体３内に押し込まれたカード１０１を保持し、かつ、保持されたカード１０１がさらに送話筐体３内に押し込まれるとカード１０１を排出する。また、被係合部１９ｃは、コネクタ１５のカード１０１を排出する力に抗して送話筐体３に係合可能である。従って、挿入及び排出操作が容易なプッシュプッシュ式のコネクタ１５において、コネクタ１５の排出力によってカード１０１が携帯電話機１から脱落することが防止されるとともに、上述の再保持の容易化が図られる。
【００５１】
弾性変形部１９ａは、キャップ部１９における弾性変形部１９ａの周囲に形成される外周部１９ｂよりも曲げ剛性が低く形成されている。従って、上述したようなカード１０１の押し込みを実現しつつ、キャップ部１９を凹部２３に嵌合させるとともに、外周部１９ｂに設けられた被係合部１９ｃを送話筐体３に堅固に係合させることができる。
【００５２】
弾性変形部１９ａは、キャップ部１９における弾性変形部１９ａの周囲に形成される外周部１９ｂよりも肉薄に形成されることにより、曲げ剛性の低減が図られている。従って、弾性変形部１９ａ及び外周部１９ｂを同一材料により形成することが可能である。
【００５３】
携帯電話機１は、コネクタ１５によりカード１０１が保持されている保持状態を検出するＣＰＵ７１と、キャップ部１９の閉塞状態を検出するセンサ３５とを有する。そして、ＣＰＵ７１は、閉塞状態のまま保持状態が解除されたことを検知すると、報知動作を行う。従って、ユーザは、キャップ部１９を取り外すことなく、カード１０１の保持状態を認識し、必要に応じて上述のような弾性変形部１９ａを介した押し込み操作を行うことができる。
【００５４】
なお、以上の実施形態において、携帯電話機１は本発明の携帯電子機器の一例であり、送話筐体３は本発明の筐体の一例であり、キャップ部品１７又はキャップ部１９は本発明のキャップの一例であり、表示部９やスピーカ８５は本発明の報知部の一例であり、ＣＰＵ７１は本発明の第１の検出部の一例であり、センサ３５、又は、センサ３５及びセンサ３５の検出結果に基づく判断を行うＣＰＵ７１は本発明の第２の検出部の一例であり、ＣＰＵ７１は本発明の制御部の一例である。
【００５５】
本発明は、以上の実施形態に限定されず、種々の態様で実施されてよい。
【００５６】
携帯電子機器は、携帯電話機に限定されない。例えば、携帯電子機器は、ＰＤＡ、音楽プレーヤー、ゲーム機、ノートパソコンであってもよい。筐体は、折り畳み式のものに限定されず、スライド式のものや、一の筐体のみにより筐体全体が構成されるものであってもよい。また、カードは、メモリカードに限定されない。例えば、ＣＰＵのみを搭載したカードやバッテリの機能を果たすカードであってもよい。
【００５７】
弾性変形部は、カードが挿入される開口部に対向する領域のみに設けられるものに限定されない。例えば、キャップ全体が弾性変形部であってもよい。また、図７の変形例のキャップ部２１９に示すように、開口部１３に対向する対向部２１９ｏの周囲に弾性変形部２１９ａが形成されてもよい。
【００５８】
弾性変形部の曲げ剛性を、弾性変形部の周囲に形成される部位の曲げ剛性よりも低くする方法は、弾性変形部を肉薄にする方法に限定されない。図８の変形例に示すように、硬質の樹脂により形成された枠状部材３１９ｅと、ゴムにより形成され、枠状部材３１９ｅに接着されるシート状部材３１９ｆとにより、キャップ部３１９を構成してもよい。すなわち、弾性変形部３１９ａは、キャップにおける弾性変形部の周囲に形成される部位よりも弾性係数が低い材料により形成されてもよい。
【００５９】
第１の検出部は、ＣＰＵに限定されない。例えば、イジェクトバーがロックされている状態においてイジェクトバーによって押される押圧式のスイッチであってもよいし、イジェクトバーに固定された磁石の近接を検出する磁気センサであってもよい。また、第２の検出部は、光電センサに限定されない。例えば、キャップが筐体に取り付けられた状態においてキャップによって押される押圧式のスイッチであってもよいし、キャップに取り付けられた磁石の近接を検出する磁気センサであってもよい。
【図面の簡単な説明】
【００６０】
【図１】本発明の実施形態に係る携帯電話機の外観を示す斜視図。
【図２】図１の携帯電話機のカード装着部を拡大して示す斜視図。
【図３】図１の平面ＩＩＩにおける断面図。
【図４】図１の携帯電話機の一部を切り欠いて示す正面図。
【図５】図１の携帯電話機のイジェクト機構を示す断面図。
【図６】図１の携帯電話機の信号処理系の構成を示すブロック図。
【図７】本発明の変形例のキャップを示す図。
【図８】本発明の他の変形例のキャップを示す図。
【符号の説明】
【００６１】
１…携帯電話機（携帯電子機器）、１３…開口部、３…送話筐体（筐体）、１５…コネクタ、１７…キャップ部品（キャップ）、１９…キャップ部（キャップ）、１９ａ…弾性変形部、１９ｃ…被係合部、１０１…カード。
【図１】
2010055339.tif 000003
【図２】
2010055339.tif 000004
【図３】
2010055339.tif 000005
【図４】
2010055339.tif 000006
【図５】
2010055339.tif 000007
【図６】
2010055339.tif 000008
【図７】
2010055339.tif 000009
【図８】
2010055339.tif 000010